(57)【要約】【課題】温度センサのリード線の配線処理を容易にして組立作業性を向上すると共に、リード線を伝わってドレン水が滴下することがなく、部品点数が減ってコストを低減することのできる天吊形空気調和機を提供する。【解決手段】室内ユニット１の筐体２内に、吸込口１０から吸引された室内空気５０を熱交換する熱交換器２０と、一端が熱交換器２０に接続されこの熱交換器２０の側方に配置された冷媒配管２５，２６と、制御部に接続されるリード線２８ａ，２８ｂを有し冷媒配管２５，２６に取付けられた温度センサ２７ａ，２７ｂと、熱交換器２０の下部の側方に設置されて熱交換器２０を筐体２に固定するコイルサポート３０とを有し、このコイルサポート３０に設けた切欠き部３１に、温度センサ２７ａ，２７ｂのリード線２８ａ，２８ｂを係止した。【選択図】図５
2009145015.tif 000002
【特許請求の範囲】
【請求項１】
室内ユニットの筐体内に、吸込口から吸引された室内空気を熱交換する熱交換器と、一端が前記熱交換器に接続され該熱交換器の側方に配置された冷媒配管と、制御部に接続されるリード線を有し前記冷媒配管に取付けられた温度センサと、前記熱交換器の下部の側方に設置されて該熱交換器を前記筐体に固定するコイルサポートとを有し、
前記コイルサポートに設けた切欠き部に、前記温度センサのリード線を係止したことを特徴とする天吊形空気調和機。
【請求項２】
前記切欠き部の幅を、前記リード線を被覆した保護チューブの外径より狭く形成したことを特徴とする請求項１記載の天吊形空気調和機。
【請求項３】
前記切欠き部を、前記コイルサポートの端部に開口する挿入部と、該挿入部に連続する折曲げ部とによりほぼＬ字状に形成し、前記挿入部から挿入したリード線を折曲げ部内に係止したことを特徴とする請求項１又は２記載の天吊形空気調和機。
【請求項４】
前記コイルサポートの前記熱交換器に固定するねじ挿通穴の近傍に、衝立状のリブを設けたことを特徴とする請求項１〜３のいずれかに記載の天吊形空気調和機。
【請求項５】
前記コイルサポートを、金属板又はプラスチック材で形成したことを特徴とする請求項１〜４のいずれかに記載の天吊形空気調和機。
【発明の詳細な説明】
【技術分野】
【０００１】
本発明は、天吊形空気調和機に係り、より詳しくは、室内空気を熱交換する熱交換器の側方部分を室内ユニットの筐体に固定するためのコイルサポートを備えた天吊形空気調和機に関するものである。
【背景技術】
【０００２】
天吊形空気調和機は室内ユニットを有し、この室内ユニットの筐体内には熱交換器が設けられており、この熱交換器の側方には、一端が熱交換器に接続されて冷媒を流通させる冷媒配管である冷媒ガス配管と冷媒液配管とが配設され、これら冷媒配管の他端に設けた接続部を筐体に固定したものがある（例えば、特許文献１参照）。
そして、冷媒配管には、空気調和機の運転を制御するために、流通する冷媒の温度を検知する温度センサが取付けられている。
【０００３】
このような天吊形空気調和機において、熱交換器は、例えば、その側方部分がコイルサポートによって室内ユニットの筐体に取付けられており、冷媒配管は、パイプバンドにより筐体の配管固定部に固定されている。また、温度センサのリード線は、室内ユニットの組立の際に、後工程の妨げにならないように、冷媒配管に結束バンドを用いて固定されている。
【０００４】
【特許文献１】特開２００５−１６４２１１号公報（第３頁、図１−２）
【発明の開示】
【発明が解決しようとする課題】
【０００５】
特許文献１の天吊形空気調和機によれば、熱交換器に接続された冷媒配管に取付けた温度センサのリード線が、結束バンドにより冷媒配管に固定する際の位置のばらつきによって、冷媒配管の露出部分に接触した場合、冷媒配管に付着したドレン水がリード線を伝わって室内ユニットの外部に滴下するおそれがあり、このため、後工程において、リード線の配線処理が必要で、組立作業性が悪いという問題があった。
【０００６】
本発明は、上記の課題を解決するためになされたもので、温度センサのリード線の配線処理を容易にして組立作業性を向上すると共に、リード線を伝わってドレン水が滴下することのない天吊形空気調和機を提供することを目的とするものである。
また、組立作業時の部品点数を削減することにより、コストを低減することのできる天吊形空気調和機を提供することを目的とするものである。
【課題を解決するための手段】
【０００７】
本発明に係る天吊形空気調和機は、室内ユニットの筐体内に、吸込口から吸引された室内空気を熱交換する熱交換器と、一端が前記熱交換器に接続され該熱交換器の側方に配置された冷媒配管と、制御部に接続されるリード線を有し前記冷媒配管に取付けられた温度センサと、前記熱交換器の下部の側方に設置されて該熱交換器を前記筐体に固定するコイルサポートとを有し、前記コイルサポートに設けた切欠き部に、前記温度センサのリード線を係止したものである。
【発明の効果】
【０００８】
本発明に係る天吊形空気調和機は、室内ユニットの筐体内に設けたコイルサポートに形成した切欠き部に、温度センサのリード線を係止させるようにしたので、配線処理が容易かつ確実になり、組立作業性を向上することができる。また、リード線を伝わってドレン水が滴下することもない。さらに、組立作業時の部品点数を減らすことができるので、コストを低減することができる。
【発明を実施するための最良の形態】
【０００９】
［実施の形態１］
図１は本発明の実施の形態１に係る天吊形空気調和機の室内ユニットの側面からみた一部を省略した構成説明図、図２は図１の要部の構成説明図、図３は図２の要部の分解斜視図、図４は図３を組立てた状態の要部の斜視図、図５は図４の要部の拡大斜視図である。
【００１０】
天吊形空気調和機の室内ユニット１の筐体２は、平面ほぼ四角形状で箱形をなし、天井から吊下げられて設置される。筐体２の上流側（図１の右側）の下面には、室内空気５０（一次空気ともいう）を吸込む吸込口１０が設けられており、吸込口１０には塵埃等を吸着して除去するフィルタ１１が設置されている。そして、筐体２内の吸込口１０の近傍には、シロッコファンからなる送風ファン１２が配設されており、電動機（図示せず）によって駆動される。
【００１１】
筐体２内の送風ファン１２の下流側（図１の左側）には、風路１３及び吹出口１４が設けられており、風路１３内には、冷凍サイクルを構成する熱交換器２０が、下流側を上方にして斜めに配設され、吸込口１０から吸込まれた室内空気５０と熱交換器２０の冷媒とが熱交換された空気５１（二次空気ともいう）が、吹出口１４から室内へ吹き出される。
【００１２】
熱交換器２０の下方には、熱交換器２０で発生したドレン水５２を受ける発泡スチロール製のドレンパン１５が配設されており、ドレンパン１５の熱交換器２０側の表面には、ＡＢＳ製のスキン層１６がインサートされている。そして、ドレンパン１５の熱交換器２０の側方２０ａの上流側には、ドレン水溜り１７とドレン水排出口１８とが設けられており、ドレン水排出口１８にはドレン水５２を排出するためのホース（図示せず）が接続され、ドレン水５２を筐体２外へ排出するようになっている。
【００１３】
また、熱交換器２０の側方２０ａには、冷媒を流通させる冷媒配管である冷媒ガス配管２５と冷媒液配管２６の一端が接続されており、これら両配管２５，２６には流通する冷媒の温度を検知する温度センサ２７ａ，２７ｂ（図４）が取付けられている。この温度センサ２７ａ，２７ｂは、リード線２８ａ，２８ｂにより制御部を構成する空調機制御基板（図示せず）に接続されている。
【００１４】
コイルサポート３０は金属板からなり、一方の縁部が熱交換器２０の側縁に固定され、他方の縁部が筐体２に固定されており、また、熱交換器２０を流通する一次空気と二次空気が、熱交換器２０の側方部分でバイパスしないように、ドレンパン１５と共に仕切っている。
このコイルサポート３０は、ほぼ長方形の金属板を曲げ加工して形成され、上流側から第１の面３０ａ、第２の面３０ｂ、第３の面３０ｃの３つで面３０ａ〜３０ｃによって構成されている。
【００１５】
コイルサポート３０の第２の面３０ｂは、第１の面３０ａの下流側を斜め上方に折曲げて形成され（図４）、熱交換器２０を据え付けた状態でほぼ水平になって、熱交換器２０の側方部分２０ａ及び冷媒ガス配管２５と冷媒液配管２６から落下するドレン水５１を溜めるようになっている。第３の面３ｃは第２の面３ｂの下流側端部から第１の面３ａと同方向に斜め上方に折曲げられて形成され、熱交換器２０の据付状態において熱交換器２０の下面に当接し、その上方部分２０ｂまで延設されている。
【００１６】
また、第１の面３０ａの上流側には、先端部に開口する挿入部とこれに連続して折曲げられた折曲げ部からなり、温度センサ２７ａ，２７ｂのリード線２８ａ，２８ｂが挿入されて係止するほぼＬ字状の切欠き部３１が設けられている。この切欠き部３１の幅ｗは、リード線２８ａ，２８ｂを被覆した保護チューブ２９ａ，２９ｂの外径より狭く形成されている（図５）。
【００１７】
次に、上記のように構成した天吊形空気調和機の熱交換器２０の側方部分の組立手順の一例を、主として図３を用いて説明する。なお、図３は室内ユニット１の据付状態とは上下逆になっている。
先ず、筐体天板３を配置し、その下流側に吹出口上部パネル５を取付ける。また、送風ファン１２と風路１３との間に、筐体天板３と一体化された配管固定部６を有する仕切り板７を設置する。
【００１８】
ついで、配管固定部６に設けた溝部６ａ，６ｂに、一端が熱交換器２０に接続された冷媒ガス配管２５と冷媒液配管２６の他端の接続部の近傍をセットしたのち、パイプバンド８を取付ける。そして、配管固定部６の溝部６ａ，６ｂと、パイプバンド８の円弧部８ａ，８ｂとによって冷媒ガス配管２５と冷媒液配管２６を挟持し、ねじで固定する。
【００１９】
次に、冷媒ガス配管２５及び冷媒液配管２６に、冷媒温度を検知する温度センサ２７ａ，２７ｂを取付ける（図４）。このとき、温度センサ２７ａ，２７ｂのリード線２８ａ，２８ｂは、配線の際コイルサポート３０の切欠き部３１に係止して固定するため（図５）、従来のように、リード線２８ａ，２８ｂを冷媒ガス配管２５と冷媒液配管２６に、結束バンドにより結束する必要がない。
【００２０】
この場合、前述のように、切欠き部３１の幅ｗはリード線２８ａ，２８ｂを被覆した保護チューブ２９ａ，２９ｂの外径より狭く形成されているが、保護チューブ２９ａ，２９ｂの材質は軟質材料（例えば、軟質ＰＶＣ）であるため、保護チューブ２９ａ，２９ｂを圧縮（弾性変形）させてリード線２８ａ，２８ｂを切欠き部３１に押し込んで係止させることができ、係止されたリード線２８ａ，２８ｂは、保護チューブ２９ａ，２９ｂの復元反発力によって生じる摩擦によって固定状態になり、切欠き部３１から抜け出すことがない。
【００２１】
ついで、第３の面３ｃを熱交換器２０の側方部分２０ａの下方に位置させ、その側縁をねじによって熱交換器２０に固定したコイルサポート３０を、筐体側板４及び吹出し口上部パネル５にねじで固定する。また、温度センサ２７ａ，２７ｂのリード線２８ａ，２８ｂを切欠き部３１に挿入して係止させる。
続いて、熱交換器２０の下方にドレンパン１５を取付ける。このとき、温度センサ２７ａ，２７ｂのリード線２８ａ，２８ｂを、ドレンパン１５に設けたリード線２８ａ，２８ｂの逃し部１５ａ（図４）を通して上流側に引き出し、ついで、ドレンパン１５の下面に意匠パネル１９を組込む。
【００２２】
次に、上記のように構成した本実施の形態に係る天吊形空気調和機の作用を説明する。電動機により送風ファン１２が駆動されると、吸込口１０から室内空気５０が吸い込まれ、風路１３を通って熱交換器２０に至る。ここで、室内空気５０と熱交換器２０の冷媒とが熱交換され、熱交換された室内空気５０は二次空気５１となって、吹出口１４から室内に吹き出す。
【００２３】
このとき、熱交換器２０の側方部分２０ａ及び冷媒ガス配管２５と冷媒液配管２６からドレン水５２がコイルサポート３０に落下し、落下したドレン水５２は、コイルサポート３０の形状に沿って流れ、第２の面３０ｂに溜る。そして、第２の面３０ｂからドレンパン１５に流入し、ドレンパン１５のドレン水溜り１７に溜められ、そののちドレン水排出口１８から筐体２外へ排出される。
【００２４】
本実施の形態によれば、コイルサポート３０に設けた切欠き部３１に温度センサ２７ａ，２７ｂのリード線２８ａ，２８ｂを係止させて固定状態にするようにしたので、配線処理が容易かつ確実になり、組立作業性を向上させることができる。また、温度センサ２７ａ，２７ｂのリード線２８ａ，２８ｂは冷媒配管２５，２６に接触していないので、リード線２８ａ，２８ｂを伝わってドレン水が滴下することもない。さらに、組立作業時の部品点数を減らすことができるので、コストを低減することができる。
【００２５】
［実施の形態２］
図６は本発明の実施の形態２に係る天吊形空気調和機のコイルサポート周辺の説明図である。
本実施の形態は、実施の形態１におけるコイルサポート３０の第３の面３０ｃの縁部の、熱交換器３０の縁部に設けたねじ穴に対応して設けたねじ挿通穴３２の周辺に、第３の面３０ｃと直交して衝立状のリブ３３を設けたものである。なお、その他の構成及び作用は、実施の形態１の場合と同様である。
【００２６】
実施の形態１においては、コイルサポート３０を熱交換器２０の側方部分２０ａにねじによって固定する際に、誤ってねじがドライバーと共にねじ挿通穴３２から外れた場合、熱交換器２０を損傷するおそれがあるが、本実施の形態によれば、ねじがねじ挿通穴３２から外れてもリブ３３に当って熱交換器２０に達しないので、熱交換器２０の損傷を防止することができる。
本実施の形態の効果は、実施の形態１の場合とほぼ同様である。
【００２７】
［実施の形態３］
実施の形態１，２では、コイルサポート３０を金属板で形成した場合を示したが、本実施の形態においては、コイルサポート３０をプラスチックによって形成したものである。この場合、プラスチックの材料としては、例えばＰＰ樹脂を使用した。
【００２８】
本実施の形態によれば、コイルサポート３０をプラスチック材料で形成したので、金属板で形成した場合に比べて軽量化することができる。また安価なためコストを低減することができ、錆びることもなく、その上、プラスチック材料によれば複雑な形状でも製造することができる。
【図面の簡単な説明】
【００２９】
【図１】本発明の実施の形態１に係る天吊形空気調和機の室内ユニットの側面からみた一部を省略した構成説明図である。
【図２】図１の要部の構成説明図である。
【図３】図２の要部の分解斜視図である。
【図４】図３を組立てた状態の要部の斜視説明図である。
【図５】図４の要部の拡大斜視図である。
【図６】本発明の実施の形態２に係る天吊形空気調和機の室内ユニットの要部の斜視図である。
【符号の説明】
【００３０】
１  室内ユニット、２  筐体、６  配管固定部、１０  吸込口、１２  送風ファン、１３  風路、１４  吹出口、１５  ドレンパン、１７  ドレン水溜り、１８  ドレン水排出口、２０  熱交換器、２５  冷媒ガス配管、２６  冷媒液配管、２７ａ，２７ｂ  温度センサ、２８ａ，２８ｂ  リード線、２９ａ，２９ｂ  保護チューブ、３０  コイルサポート、３０ａ  第１の面、３０ｂ  第２の面、３０ｃ  第３の面、３１  切欠き部、３２  ねじ挿通穴、３３  リブ、５０  室内空気、５１  二次空気、５２  ドレン水。
【図１】
2009145015.tif 000003
【図２】
2009145015.tif 000004
【図３】
2009145015.tif 000005
【図４】
2009145015.tif 000006
【図５】
2009145015.tif 000007
【図６】
2009145015.tif 000008